(57)【特許請求の範囲】
【請求項１】
フレームを備えたハウジングと、
前記ハウジングに取り付けられるとともに回転軸の周りで前記ハウジングを基準として回転するように構成された電池扉であって、前記電池扉は、電池軸を備えた電池区画を少なくとも部分的に画定する第１の壁表面を備えた側壁を有しており、前記第１の壁表面は、電池を支持するための複数の接触点を備えており、前記複数の接触点は、前記電池軸までの距離が等しく、第１のベクトルが、前記電池軸から延在するとともに前記電池軸から前記回転軸までの第１の方向において前記回転軸と直角に交差する、電池扉と、
遠位端を備えた突出部材と、第１の遠位端を備えた第１のアームを有する係合部材とを備えた閉鎖機構であって、前記突出部材は、前記電池扉が閉位置にあるときに前記係合部材と係合するように構成されている、閉鎖機構と、
を備え、
前記閉鎖機構は、前記第１のベクトルと、前記電池軸から第２の方向に延在するとともに前記回転軸と直交する第２のベクトルと、の間に画定される空間内に配置されており、前記第１のベクトルと前記第２のベクトルとの間の角度は１５０°未満である、聴覚装置。
【請求項２】
前記突出部材は、前記側壁から延在する、請求項１に記載の聴覚装置。
【請求項３】
前記突出部材は、一次窪みを備え、前記一次窪みは、前記電池扉が前記閉位置にあるときに前記係合部材と係合するように構成されている、請求項１に記載の聴覚装置。
【請求項４】
前記突出部材は、二次窪みを備え、前記二次窪みは、前記電池扉が半閉位置にあるときに前記係合部材と係合するように構成されている、請求項３に記載の聴覚装置。
【請求項５】
前記一次窪みは、前記電池扉が前記閉位置にあるときに、前記一次窪みの一次区間に沿って前記第１のアームを支持するように構成されている、請求項３に記載の聴覚装置。
【請求項６】
前記突出部材は、前記突出部材の前記遠位端と前記一次窪みとの間に一次表面を備えており、前記一次表面は、一次法線を有しており、前記一次法線と前記一次窪みに沿った主方向との間の角度は、７５°〜８８°のうちのいずれかである、請求項３に記載の聴覚装置。
【請求項７】
前記電池扉の前記側壁は、前記突出部材または前記係合部材を前記電池扉に取り付けるためのドックを備える、請求項１に記載の聴覚装置。
【請求項８】
前記第１のアームの前記第１の遠位端は、前記電池扉が開位置から前記閉位置まで移動するときに、変位方向に変位可能であり、前記変位方向は、前記回転軸と平行な一次方向成分を有する、請求項１に記載の聴覚装置。
【請求項９】
前記変位方向は、前記一次方向成分と直交する二次方向成分を有しており、前記二次方向成分は、前記一次方向成分より小さい、請求項８に記載の聴覚装置。
【請求項１０】
前記係合部材は第２の遠位端を備えた第２のアームを有する、請求項１に記載の聴覚装置。
【請求項１１】
前記係合部材は金属から製作される、請求項１に記載の聴覚装置。
【請求項１２】
前記フレームは、前記係合部材を受け容れるとともに前記係合部材を前記フレームに接続するための区画を備える、請求項１に記載の聴覚装置。
【請求項１３】
前記係合部材は、前記区画内において前記回転軸と平行な面内を少なくとも１つの方向に移動可能である、請求項１２に記載の聴覚装置。
【請求項１４】
前記第１のアームの前記第１の遠位端は、前記電池扉が開位置から前記閉位置まで移動するときに第１の変位方向に変位可能であり、前記第１の変位方向は、前記回転軸と平行な第１の一次方向成分を有しており、
聴覚装置は、前記電池扉が前記閉位置から半閉位置まで移動するときに第２の変位方向に変位可能な第２の遠位端を備えた第２のアームをさらに備えており、前記第２の変位方向は、第２の一次方向成分を有しており、
前記少なくとも１つの方向は前記第１の一次方向成分と前記第２の一次方向成分とを含む、請求項１３に記載の聴覚装置。
【発明の詳細な説明】
【技術分野】
【０００１】
本開示は、閉鎖機構を備えた聴覚装置に関し、また詳細には聴覚装置内で電池を収容するおよび／または支持するための電池扉を備えた聴覚装置に関する。
【背景技術】
【０００２】
補聴器産業においてユーザの恩恵のためにより小型かつより個別的な補聴器を製作することに注目が集まっており、したがって補聴器のサイズの削減が可能な設計が重要である。さらにコストの観点からは、製造が容易かつ安価な設計とすることに大きな関心がある。一般に、聴覚装置にはボタン電池が使用されており、また従来では補聴器の電池扉はロック機構によって嵌め合されており、これが大きい聴覚装置、複雑な製造プロセスおよび／またはロック機構の高い故障率につながっている。
【０００３】
さらに聴覚装置部品は、強固かつ耐摩耗性でなければならない。さらに、ユーザ体験を向上させるために、可動部の精巧な嵌め合せが望まれる。
【０００４】
典型的には閉鎖機構は、閉鎖機構の部品にかかる機械的応力を低減するために回転軸からできるだけ遠くに配置される。
【発明の概要】
【発明が解決しようとする課題】
【０００５】
聴覚装置に適した改良型の閉鎖機構が必要とされている。
【課題を解決するための手段】
【０００６】
フレームを備えたハウジングと、ハウジングに取り付けられるとともに回転軸の周りでハウジングを基準として回転するように構成された電池扉であって、前記電池扉は、電池軸を備えた電池区画を少なくとも部分的に画定する第１の壁表面を備えた側壁を有しており、この第１の壁表面は、電池を支持するための複数の接触点を備えており、前記複数の接触点は、電池軸までの距離が等しく、第１のベクトルが、電池軸から延在するとともに電池軸から回転軸までの第１の方向において回転軸と直角に交差する、電池扉と、遠位端を備えた突出部材と第１の遠位端を備えた第１のアームを有する係合部材とを備えた閉鎖機構であって、この突出部材は、電池扉が閉位置にあるときに係合部材と係合するように構成されている、閉鎖機構と、を備える聴覚装置を開示する。この閉鎖機構は、第１のベクトルと、電池軸から第２の方向に延在するとともに回転軸と直交する第２のベクトルと、によって差し渡された角度空間内に配置されることがある。第１のベクトルと第２のベクトルとの間の角度は、１５０°未満（例えば、１３０°未満など、１２０°未満など）とすることがある。
【０００７】
開示した聴覚装置は、聴覚装置の電池扉向けの丈夫でありかつ持続可能な閉鎖機構を提供する。係合部材および／または突出部材は、フレームおよび／または電池扉から分離可能とすることがある。突出部材および／または係合部材などの閉鎖部材が、フレームから独立していることによって設計自由度の増大がもたらされる。したがって係合部材および／または突出部材は、フレームおよび／または電池扉と異なる材料で製造され得る。本技術分野では様々な部品を指定の部品の機械的要件と整合した機械的特性を有する材料によって製造することが望まれる。たとえば係合部材は、機械的摩耗を受けやすく、またフレームおよび／または電池扉の要件と異なる柔軟性が要求される。さらに係合部材と突出部材の機械的要件は、摩耗および／または柔軟性などのいくつかの点で異なることがある。
【０００８】
開示した聴覚装置は、閉鎖機構とフレームと電池扉との間の公差の連鎖を制限している。したがって別の利点としてこの開示した聴覚装置は、部品の公差について要件の限定を容易にし、これにより製造が簡略化される。
【０００９】
さらに別の利点としてこの閉鎖機構は、電池扉ヒンジ構造に対する摩耗の低減を提供することがある。第１のアームおよび／または第２のアームの変位の一次方向成分を回転軸と平行とし、これにより電池扉ヒンジ構造および閉鎖機構に対する摩耗を低減することがある。
【００１０】
閉鎖機構の配置によって、設計柔軟性の上昇が提供されるとともに、小型の聴覚装置が可能となる。
【００１１】
聴覚装置は、フレームを備えたハウジングと、ハウジングに取り付けられるとともに回転軸の周りでハウジングを基準として回転するように構成された電池扉を含む。この電池扉は電池軸を備えた電池区画を少なくとも部分的に画定する第１の壁表面を備えた側壁を有しており、この第１の壁表面は、電池を支持するための複数の接触点を備えており、複数の接触点は、電池軸までの距離が等しく、第１のベクトルが電池軸から延在するとともに電池軸から回転軸までの第１の方向において回転軸と直角に交差する。聴覚装置は、遠位端を備えた突出部材と第１の遠位端を備えた第１のアームを有する係合部材とを備えた閉鎖機構を含む。この突出部材は電池扉が閉位置にあるときに係合部材と係合するように構成されている。
【００１２】
任意選択では閉鎖機構は、第１のベクトルと、電池軸から第２の方向に延在するとともに回転軸と直交する第２のベクトルと、の間に画定される空間内に配置されており、第１のベクトルと第２のベクトルとの間の角度は１５０°未満である。
【００１３】
任意選択では、突出部材は側壁から延在する。
【００１４】
任意選択では、突出部材は一次窪みを備えており、かつこの一次窪みは電池扉が閉位置にあるときに係合部材と係合するように構成されている。
【００１５】
任意選択では、突出部材は二次窪みを備えており、かつこの二次窪みは電池扉が半閉位置にあるときに係合部材と係合するように構成されている。
【００１６】
任意選択では一次窪みは、電池扉が閉位置にあるときに一次窪みの一次区間に沿って第１のアームを支持するように構成されている。
【００１７】
任意選択では突出部材は、突出部材の遠位端と一次窪みとの間に一次表面を備えており、一次表面は、一次法線を有しており、一次法線と一次窪みに沿った主方向との間の角度は７５°〜８８°のうちのいずれかである。
【００１８】
任意選択では電池扉の側壁は、突出部材または係合部材を電池扉に取り付けるためのドックを備える。
【００１９】
任意選択では第１のアームの第１の遠位端は、電池扉が開位置から閉位置まで移動するときに、変位方向に変位可能であり、変位方向は、回転軸と平行な一次方向成分を有する。
【００２０】
任意選択では変位方向は、一次方向成分と直交する二次方向成分を有する。二次方向成分は、一次方向成分より小さい。
【００２１】
任意選択では係合部材は、第２の遠位端を備えた第２のアームを有する。
【００２２】
任意選択では係合部材は、金属から製作される。
【００２３】
任意選択では、フレームは、係合部材を受け容れるとともに係合部材をフレームに接続するための区画を備える。
【００２４】
任意選択では係合部材は、この区画内において回転軸と平行な面内で少なくとも１つの方向に移動可能である。
【００２５】
任意選択では、第１のアームの第１の遠位端は、電池扉が開位置から閉位置まで移動したときに、第１の変位方向に変位可能である。第１の変位方向は、回転軸と平行な第１の一次方向成分を有する。聴覚装置はさらに、電池扉が閉位置から半閉位置まで移動したときに、第２の変位方向に変位可能な第２の遠位端を備えた第２のアームを備えている。第２の変位方向は、第２の一次方向成分を有する。前記少なくとも１つの方向は、第１の一次方向成分および第２の一次方向成分を含む。
【００２６】
他の態様および特徴ならびにさらなる態様および特徴については実施形態に関する以下の詳細な説明を読むことにより明らかとなろう。
【００２７】
以下では、例示的な聴覚装置およびその部品について図面を参照しながらより詳細に説明することにする。
【図面の簡単な説明】
【００２８】
【図１】電池扉を備えた例示的な聴覚装置の概要図である。
【図２】電池扉が閉位置にある例示的な聴覚装置の部分概要図である。
【図３】電池扉が半閉位置にある例示的な聴覚装置の部分概要図である。
【図４】例示的な電池扉の概要図である。
【図５】閉位置にある閉鎖機構の側面図である。
【図６】開位置と閉位置との間にある閉鎖機構の側面図である。
【図７】閉位置にある閉鎖機構の正面図である。
【図８】開位置と閉位置との間にある閉鎖機構の正面図である。
【図９】突出部材の正面図である。
【発明を実施するための形態】
【００２９】
図面を参照しながら様々な実施形態について以下に記載する。同様の構造または機能をもつ要素については図面全体を通じて同じ参照番号によって表していることに留意すべきである。さらに、これらの図面は実施形態の説明を容易にすることのみを目的としていることに留意すべきである。これらの図面は、特許請求の範囲に記載された発明を余すところなく説明する意図ではなく、また特許請求の範囲に記載された発明の趣旨を限定する意図でもない。さらに図示した実施形態は必ずしも、示した態様や利点のすべてを有するとは限らない。ある特定の実施形態と関連して説明する態様や利点は、必ずしも当該実施形態に限定されるものではなく、また図示していない場合や明示的な記述がない場合であっても他の任意の実施形態で実施することが可能である。
【００３０】
ハウジングは、１つまたは複数のシェル部品を備えることがある。たとえばフレームが１つまたは複数のシェル部品を担うことがある。フレームはハウジングの一部を形成することがある。
【００３１】
電池扉は開位置にあることができる。開位置によってユーザに対して、たとえば電池の取り出しおよび／または挿入のための電池区画へのアクセスを提供することができる。
【００３２】
電池扉は閉位置にあることができる。閉位置によって聴覚装置の電池と回路の間に電気的接続が提供され得る。
【００３３】
電池扉は半閉位置にあることができる。半閉位置によって、電池扉がフレームを基準として適所に保持される位置が提供されることができ、また電池は電気的に非接続となる（たとえば、半閉位置はＯＦＦ位置を提供することができる）。
【００３４】
電池扉は、フレームを基準とした回転軸の周りでの回転動作によって、開位置と閉位置との間で、または開位置と半閉位置との間で、または半閉位置と閉位置との間で移動させることができる。
【００３５】
電池扉の閉鎖方向は、第１のベクトルと第２のベクトルとによって差し渡された角度空間内とすることがある。閉鎖方向は、電池扉が開位置から閉位置および／または半閉位置に向かって移動するときの電池扉の回転動作に対する接線方向とすることがある。電池扉の開放方向は閉鎖方向と反対とすることがある。
【００３６】
電池扉は、回転軸と平行な方向で電池を受け容れるように構成される（すなわちユーザは、回転軸と平行な電池の移動によって電池を挿入または除去する）ことがある。
【００３７】
閉鎖機構は、第１のアームを有する係合部材を備える。係合部材はＩ字形とすることがある。係合部材はＵ字形とすることがある。係合部材は、第２の遠位端を備えた第２のアームを有することがある。Ｕ字形やＨ字形など相対して配置された第１のアームと第２のアームとを係合部材に設けることによって、係合部材の内部応力が低減される、および／または内部応力がより適正に配分される。係合部材は、第１のアームと第２のアームを含む複数のアームを有することがある。
【００３８】
第１のアームは、電池扉が開位置から閉位置まで移動するときに第１の遠位端が第１の変位方向に変位するように可撓性のものとすることができる。
【００３９】
第１のアームは、電池扉が開位置から半閉位置まで移動するときに第１の遠位端が第１の変位方向に変位するように可撓性のものとすることができる。
【００４０】
第１のアームは、電池扉が半閉位置から閉位置まで移動するとき第１の遠位端が第１の変位方向に変位するように可撓性のものとすることができる。
【００４１】
第１のアームは、電池扉が閉位置から開位置まで移動するときに第１の遠位端が第１の変位方向に変位するように可撓性のものとすることができる。
【００４２】
第１のアームは、電池扉が半閉位置から開位置まで移動するときに、第１の遠位端が第１の変位方向に変位するように可撓性のものとすることができる。
【００４３】
第１のアームは、電池扉が閉位置から半閉位置まで移動するときに第１の遠位端が第１の変位方向に変位するように可撓性のものとすることができる。
【００４４】
第１の変位方向は、回転軸と平行なおよび／または回転軸から±１０°以内の第１の一次方向成分を有することがある。第１の変位方向は、第１の一次方向成分と直交する第１の二次方向成分を有することがある。第１の二次方向成分は、第１の一次方向成分の５０％未満など第１の一次方向成分より小さいことがある。
【００４５】
第２のアームは、電池扉が開位置から閉位置まで移動するとき第２の遠位端が第２の変位方向に変位するように可撓性のものとすることができる。
【００４６】
第２のアームは、電池扉が開位置から半閉位置まで移動するとき第２の遠位端が第２の変位方向に変位するように可撓性のものとすることができる。
【００４７】
第２のアームは、電池扉が半閉位置から閉位置まで移動するとき第２の遠位端が第２の変位方向に変位するように可撓性のものとすることができる。
【００４８】
第２のアームは、電池扉が閉位置から開位置まで移動するときに第２の遠位端が第２の変位方向に変位するように可撓性のものとすることができる。
【００４９】
第２のアームは、電池扉が半閉位置から開位置まで移動するときに第２の遠位端が第２の変位方向に変位するように可撓性のものとすることができる。
【００５０】
第２のアームは、電池扉が閉位置から半閉位置まで移動するときに第２の遠位端が第２の変位方向に変位するように可撓性のものとすることができる。
【００５１】
第２の変位方向は、回転軸と平行なおよび／または回転軸から±１０°以内の第２の一次方向成分を有することがある。第２の変位方向は、第２の一次方向成分と直交する第２の二次方向成分を有することがある。第２の二次方向成分は、第２の一次方向成分の５０％未満など第２の一次方向成分より小さいことがある。
【００５２】
第１の一次方向成分および／または第２の一次方向成分は、０．０５ｍｍより大きい（例えば、０．２ｍｍより大きい、０．５ｍｍより大きいなどとする）ことがある。
【００５３】
第１の一次方向成分と第１の二次方向成分との間の比および／または第２の一次方向成分と第２の二次方向成分との間の比は、２：１より大きい（例えば、５：１より大きい、１０：１より大きいなどとする）ことがあり、第１の二次方向成分は第１の一次方向成分より小さい、および／または第２の二次方向成分は第２の一次方向成分より小さい。
【００５４】
第１の一次方向成分と第２の一次方向成分とは相対すること、すなわち反対方向を指すことがある。第１の一次方向成分と第２の一次方向成分が相対するようにして配置させた第１のアームと第２のアームを係合部材に設けることによれば、第１の遠位端の第１の方向への変位を生じさせる力が、第２の遠位端の第２の方向への変位を生じさせる別の力によって均衡されるか、少なくとも部分的に均衡されるため、係合部材についてフレームおよび／または電池扉に締結する要件の軽減を提供し得る。
【００５５】
力を均衡させること、内部応力を低減すること、および／または内部応力を分散させることによって、材料および製造プロセスに対する要件が軽減されるとともに、部品が不良となるリスクが低下する。さらに、設計自由度の増大およびサイズの削減を実現し得る。
【００５６】
閉鎖機構は突出部材を備える。突出部材は、電池扉の側壁から延在することがある。突出部材は回転軸と直交して延在することがある。別法として突出部材は、フレームから延在することがある。突出部材と電池扉が単一片となるように一体に型成形されることがあり、あるいは突出部材とフレームが単一片となるように一体に型成形されることがある。別法として突出部材は別々に型成形されることがある。引き続いて突出部材は電池扉またはフレームに取り付けられることがある。
【００５７】
電池扉の側壁は、突出部材または係合部材を電池扉に取り付けるためのドックを備えることがある。側壁にドックを設けることによって、突出部材、係合部材および／または電池扉を別々に製造し引き続いて組み上げることが容易になる。突出部材、係合部材および／または電池扉を別々に製造することによって、突出部材、係合部材および／または電池扉を異なる材料で設けることが可能となる。ドックは、ロック要素を備えることがある。ロック要素は、たとえばプレス嵌めロック、クリックロックおよび／またはツイストロックを提供することで突出部材がドック内に挿入されるときに突出部材を保持するように作用することがある。
【００５８】
突出部材は第１の一次窪みを備えることがある。第１の一次窪みは、電池扉が閉位置にあるときに係合部材と係合するように構成されることがある。第１の一次窪みは、電池扉が閉位置にあるとき係合部材の第１のアームと係合するように構成されることがある。
【００５９】
突出部材は第２の一次窪みを備えることがある。第２の一次窪みは、電池扉が閉位置にあるときに係合部材と係合するように構成されることがある。第２の一次窪みは、電池扉が閉位置にあるとき係合部材の第２のアームと係合するように構成されることがある。
【００６０】
第１の一次窪みと第２の一次窪みは、突出部材の相対する側に配置されることがある。たとえば第１の一次窪みと第２の一次窪みは、第１のアームの第１の一次窪みとの係合が第２のアームの第２の一次窪みとの係合と同時にまたは実質的に同時となるように配置されることがある。
【００６１】
突出部材は第１の二次窪みを備えることがある。第１の二次窪みは、電池扉が半閉位置にあるときに係合部材と係合するように構成されることがある。第１の二次窪みは、電池扉が半閉位置にあるとき係合部材の第１のアームと係合するように構成されることがある。
【００６２】
突出部材は第２の二次窪みを備えることがある。第２の二次窪みは、電池扉が半閉位置にあるときに係合部材と係合するように構成されることがある。第２の二次窪みは、電池扉が半閉位置にあるときに係合部材の第２のアームと係合するように構成されることがある。
【００６３】
第１の二次窪みと第２の二次窪みは、突出部材の相対する側に配置されることがある。たとえば第１の二次窪みと第２の二次窪みは、第１のアームの第１の二次窪みとの係合が第２のアームの第２の二次窪みとの係合と同時にまたは実質的に同時となるように配置されることがある。
【００６４】
第１の一次窪みは、電池扉が閉位置にあるときに第１の一次窪みの第１の一次区間に沿って第１のアームを支持するように構成されることがある。第２の一次窪みは、電池扉が閉位置にあるときに第２の一次窪みの第２の一次区間に沿って第２のアームを支持するように構成されることがある。第１の二次窪みは、電池扉が半閉位置にあるとき第１の二次窪みの第１の二次区間に沿って第１のアームを支持するように構成されることがある。第２の二次窪みは、電池扉が半閉位置にあるときに第２の二次窪みの第２の二次区間に沿って第２のアームを支持するように構成されることがある。
【００６５】
第１のアームおよび／または第２のアームを第１の一次区間、第２の一次区間、第１の二次区間および／または第２の二次区間などの区間に沿って支持することによって、閉位置および／または半閉位置において係合部材と突出部材との間の圧力の分散が提供され、これによって係合部材および／または突出部材に対する摩耗が低減される。
【００６６】
突出部材は、遠位端と第１の一次窪みとの間に第１の一次表面を備えることがある。第１の一次表面は、第１の二次窪みと第１の一次窪みとの間とすることがある。第１の一次表面は第１の一次法線を有することがある。第１の一次法線と第１の一次窪みに沿った主方向との間の角度は、７５°〜８８°の範囲など９０°未満とすることがある。第１の一次表面は、電池扉が半閉位置と閉位置との間など開位置と閉位置との間の位置にあるときに第１のアームの区間に沿って第１のアームを支持するように構成されることがある。
【００６７】
突出部材は、遠位端と第１の二次窪みとの間に第１の二次表面を備えることがある。第１の二次表面は第１の二次法線を有することがある。第１の二次法線と第１の一次窪みおよび／または第１の二次窪みに沿った主方向との間の角度は、７５°〜８８°の範囲とするなど９０°未満とすることがある。第１の二次表面は、電池扉が半閉位置と閉位置との間など開位置と閉位置との間の位置にあるときに第１のアームの区間に沿って第１のアームを支持するように構成されることがある。
【００６８】
突出部材は、遠位端と第２の一次窪みの間に第２の一次表面を備えることがある。第２の一次表面は、第２の二次窪みと第２の一次窪みとの間とすることがある。第２の一次表面は第２の一次法線を有することがある。第２の一次法線と第２の一次窪みに沿った主方向との間の角度は、７５°〜８８°の範囲とするなど９０°未満とすることがある。第２の一次表面は、電池扉が半閉位置と閉位置との間など開位置と閉位置との間の位置にあるときに第２のアームの区間に沿って第２のアームを支持するように構成されることがある。
【００６９】
突出部材は、遠位端と第２の二次窪みの間に第２の二次表面を備えることがある。第２の二次表面は、第２の二次法線を有することがある。第２の二次法線と第２の一次窪みおよび／または第２の二次窪みに沿った主方向との間の角度は、７５°〜８８°の範囲とするなど９０°未満とすることがある。第２の二次表面は、電池扉が半閉位置と閉位置との間など開位置と閉位置との間の位置にあるときに第２のアームの区間に沿って第２のアームを支持するように構成されることがある。
【００７０】
第１の一次法線と第１の一次窪みに沿った主方向との間の角度、第１の二次法線と第１の一次窪みおよび／または第１の二次窪みに沿った主方向との間の角度、第２の一次法線と第２の一次窪みに沿った主方向との間の角度、第２の二次法線と第２の一次窪みおよび／または第２の二次窪みに沿った主方向との間の角度などの角度を９０°未満で提供することによって電池扉が半閉位置と閉位置との間および／または開位置と半閉位置との間など開位置と閉位置との間の位置にあるときの第１のアームおよび／または第２のアームの区間に沿った支持が容易になる。
【００７１】
電池扉が開位置から閉位置まで移動するとき、および／または開位置から半閉位置まで移動するとき、および／または半閉位置から閉位置まで移動するとき、および／または閉位置から開位置まで移動するとき、および／または半閉位置から開位置まで移動するとき、および／または閉位置から半閉位置まで移動するときに、第１のアームの第１の遠位端は第１の変位方向に変位する、および／または第２のアームの第２の遠位端は第２の変位方向に変位する。第１の遠位端および／または第２の遠位端の変位は、突出部材を基準として第１のアームおよび／または第２のアームの異なる傾斜を提供することがある。したがって、電池扉が閉位置と半閉位置との間および／または開位置と半閉位置との間など閉位置と開位置との間の位置にあるときの第１のアームおよび／または第２のアームに対する支持を容易にするために、第１の一次法線と第１の一次窪みに沿った主方向との間の角度、第１の二次法線と第１の一次窪みおよび／または第１の二次窪みに沿った主方向との間の角度、第２の一次法線と第２の一次窪みに沿った主方向との間の角度、ならびに／または第２の二次法線と第２の一次窪みおよび／または第２の二次窪みに沿った主方向との間の角度などの角度を９０°未満とすることがある。
【００７２】
突出部材は、電池扉と同じ材料で型成形されることがある。突出部材および電池扉は単一片となるように一体に型成形されることがある。別法として突出部材は電池扉と異なる材料で型成形されることがある。突出部材は、ＰＯＭ（ポリオキシメチレン）および／またはＡＢＳ（アクリロニトリルブタジエンスチレン）などのプラスチック材料で型成形されることがある。たとえばＰＯＭは、これがもつ柔軟性および表面摩擦のために有益となり得る。突出部材は、係合部材による摩擦などの摩擦を受けることがある。突出部材の材料（たとえば、ＰＯＭなどのプラスチック材料）は、突出部材の耐久性を向上させるように選択されることがある。
【００７３】
係合部材は、頻繁な曲げを受けることがある。係合部材は金属から製作されることがある。係合部材を金属で提供することによって望ましい柔軟性および強度を提供しこれにより故障のリスクを低減することがあり、またさらには開位置と閉位置との間で電池を動かすために一貫した力を要求する丈夫な閉鎖機構を提供するような望ましい剛性を備えた係合部材の製造を容易にすることがある。
【００７４】
フレームは、係合部材を受け容れるとともに係合部材をフレームに接続するための区画を備えることがある。係合部材を受け容れるための区画を設けることによって係合部材をフレームと異なる材料で製造することを容易にし得る。係合部材は、この区画内で移動可能とすることがある。係合部材は区画内において、回転軸と平行な面内で少なくとも１つの方向に移動可能とすることがある。この少なくとも１つの方向は、第１の一次方向成分および／または第２の一次方向成分を含むことがある。区画内で係合部材が移動可能であることによって、電池扉が閉位置にあるとき、半閉位置にあるとき、および／または開位置と閉位置との間（半閉位置と閉位置との間など）のある位置にあるときに、係合部材を突出部材にそれ自体を位置合わせさせるように設け得る。係合部材は区画内で移動可能とするとともに、突出部材と平行な方向の移動が制限されることがある。
【００７５】
係合部材は、第１のアームおよび／または第２のアームと平行な面など係合部材によって画定される面と平行なまたは実質的に平行な方向で係合部材をドック内に挿入することによって区画内に受け容れられることがある。区画内への係合部材の挿入後にこの区画をシールし、係合部材が区画から続いて排除されるのを防止することがある。たとえば区画は、フレームに取り付けられた聴覚装置のシェル部品によってシールされることがある。
【００７６】
回転軸は例示的な聴覚装置内において、ハウジングを基準として電池扉を開くおよび／または閉じる間に移動することがある。したがって回転軸は、電池扉が閉位置にあるときは第１の位置をまた電池扉が開位置にあるときは第２の位置を有することがある。
【００７７】
図１は、電池扉６を備えた例示的な聴覚装置２の概要を示している。聴覚装置２は、フレームを備えたハウジング３と、電池扉６と、閉鎖機構２２（図１には図示せず）と、を備える。電池扉６は、ハウジング３に取り付けられるとともに、回転軸８の周りをハウジング３を基準として回転動作するように構成されている。電池扉６は、電池軸１６を備えた電池区画１４を少なくとも部分的に画定している第１の壁表面１２を備えた側壁１０を有する。第１の壁表面１２は、電池（図示せず）を支持するための複数の接触点１８を備える。提示した例では、複数の接触点１８が第１の壁表面１２の輪郭を示している。別の例示的な電池扉（図示せず）では複数の接触点１８は、第１の壁表面１２からある距離だけ延在することがある。複数の接触点１８は電池軸１６まで等しい距離を有する。したがって複数の接触点１８は、電池軸１６によってその中心が規定される仮想の円周上に分布している。第１のベクトル２０は、電池軸１６から延在するとともに、電池軸１６から回転軸８までの第１の方向において回転軸８を直角に横切る。聴覚装置２のハウジング３は１つまたは複数のシェル部品を備えることがある。提示した例では、第１のベクトル２０は電池軸１６と直交して延在する。しかし他の例示的な聴覚装置では、第１のベクトル２０は電池軸１６と直交することなく延在することがある。
【００７８】
図２は、電池扉６が閉位置にある例示的な聴覚装置２の概要を部分的に示している。説明の目的でフレーム４のある種の部品は省略されている。電池扉６は、フレーム４に取り付けられるとともに、回転軸８の周りをフレーム４を基準として回転動作するように構成されている。
【００７９】
聴覚装置２はさらに、遠位端２６を備えた突出部材２４と、第１の遠位端３２を備えた第１のアーム３０を有する係合部材２８と、を備えた閉鎖機構２２を備える。突出部材２４は、図２に示したように電池扉６が閉位置にあるときに係合部材２８と係合するように構成されている。閉鎖機構２２は、第１のベクトル２０と第２のベクトル３４とによって差し渡された角度空間内に配置されている。第２のベクトルは、電池軸１６から第２の方向に延在するとともに、回転軸８と直交している。第１のベクトル２０と第２のベクトル３４との間の角度３６（図４参照）は１５０°未満である。提示した例では、第１のベクトル２０と第２のベクトル３４との間の角度３６は１１０°である。しかし他の例示的な聴覚装置および電池扉では、第１のベクトル２０と第２のベクトル３４との間の角度３６を１３０°未満（１２０°未満など、１１０°未満など、９０°未満など、７５°未満など、６０°未満など、５０°未満など）とすることがある。角度が小さいと、閉鎖機構が回転軸の近くに配置されることによってよりコンパクトな聴覚装置が可能となる。
【００８０】
図２ではまた、フレーム４が係合部材２８を受け容れるための区画８２を備えるように示している。区画８２は係合部材２８をフレーム４に接続する。区画８２は、回転軸８の周りに回転する係合部材２８の接線方向の移動を制限する。区画８２によって係合部材２８および／または第１の遠位端３２および／または第２の遠位端の移動が可能となる。区画８２によって、たとえば回転軸８と平行な面内のある方向への係合部材２８および／または第１の遠位端３２および／または第２の遠位端の移動が可能となる。区画８２によって、回転軸８の周りの回転の半径方向において係合部材２８の移動が可能となり得る。区画８２によって、回転軸８と平行な方向での係合部材２８の移動が可能となり得る。
【００８１】
図３は、電池扉６が半閉位置にある例示的な聴覚装置２の概要を部分的に示している。説明の目的でフレーム４のある種の部品は省略されている。電池扉６は、フレーム４に取り付けられるとともに、回転軸８の周りをフレーム４を基準として回転動作するように構成されている。突出部材２４は、図示したように電池扉６が半閉位置にあるときに係合部材２８と係合するように構成されている。さらに突出部材２４は、図２に示したように電池扉６が閉位置にあるときに係合部材２８と係合するように構成されている。
【００８２】
図４は、図１〜３に関連して説明したような電池扉６などの例示的な電池扉６の概要を示している。図４は、閉鎖機構２２の突出部材２４を備えた電池扉６を示している。突出部材２４は電池扉６の側壁１０から延在する。電池扉６の側壁１０は、突出部材２４を側壁１０に取り付けるためのドックを備えることがある。したがって、電池扉６と突出部材２４は別々の部品とし、たとえば機械的係合（たとえば、プレス嵌めやクリックロックなど）によって取り付け可能とすること、および／または接着剤によって取り付け可能とすることがある。突出部材２４は、電池扉６の一体化した一部とすることがある。
【００８３】
電池扉は、聴覚装置のハウジング（たとえば、フレーム）に取り付けられるように構成され、かつ回転軸８の周りでハウジングを基準として回転動作するように構成されている。
【００８４】
図５は、閉位置にある（たとえば、電池扉６が閉位置にあるときの）閉鎖機構２２の側面図である。閉鎖機構２２は、遠位端２６を有する突出部材２４と、第１の遠位端３２を備えた第１のアーム３０を有する係合部材２８と、を備える。
【００８５】
突出部材２４は、第１の一次窪み３８および第１の一次表面４８を備える。第１の一次窪み３８は閉位置において、第１のアーム３０などの係合部材２８と係合するように構成されている。第１の一次表面４８は、遠位端２６と第１の一次窪み３８との間に配置されている。突出部材２４の遠位端２６を順方向に前進させるとき（たとえば、電池扉６を開位置から閉位置まで移動させるとき）、第１のアーム３０などの係合部材２８は第１の一次表面４８に沿って摺動するとともに、閉位置において第１の一次窪み３８は第１のアーム３０などの係合部材２８と係合する。図５は、係合部材２８と係合状態にある第１の一次窪み３８を示している。第１の一次窪み３８は、第１の一次窪み３８の第１の一次区間４６に沿って第１のアーム３０などの係合部材２８を支持するように構成されている。第１の一次区間４６は、第１の一次窪み３８の長さの５０％を超える（例えば、第１の一次窪み３８の長さの７０％を超える、第１の一次窪み３８の長さの９０％を超える）ことがある。第１の一次区間４６を大きくすることによって、第１の一次窪みおよび／または第１のアーム３０などの係合部材２８に対する摩耗の低減を提供し得る。
【００８６】
突出部材２４はさらに第１の二次窪み４２を備える。第１の二次窪み４２は、半閉位置において（たとえば、電池扉６が半閉位置にあるときに）第１のアーム３０などの係合部材２８と係合するように構成されている。第１の二次窪み４２は、第１の二次窪み４２の第１の二次区間に沿って第１のアーム３０などの係合部材２８を支持するように構成されることがある。第１の二次区間は、第１の二次窪み４２の長さの５０％を超える（例えば、第１の二次窪み４２の長さの７０％を超える、第１の二次窪み４２の長さの９０％を超えるなど）とすることがある。第１の二次区間を大きくすることによって、第１の二次窪みおよび／または第１のアーム３０などの係合部材２８に対する摩耗の低減を提供し得る。第１の二次区間と第１の一次区間４６は実質的に同じ長さ（たとえば、５％以内）とすることがある。
【００８７】
図６は、開位置と閉位置との間にある閉鎖機構２２の側面図である。開位置と閉位置との間では第１のアーム３０などの係合部材２８が第１の一次表面４８と係合していることを示している。第１の一次表面４８は、第１の一次表面４８の第１の支持区間５０に沿って第１のアーム３０などの係合部材２８を支持するように構成されることがある。第１の支持区間５０は、第１のアーム３０の長手方向と平行な第１の一次表面４８のサイズの５０％を超える（例えば、第１のアーム３０の長手方向と平行な第１の一次表面４８のサイズの７０％を超える、第１のアーム３０の長手方向と平行な第１の一次表面４８のサイズの９０％を超えるなど）とすることがある。第１の支持区間５０を大きくすることによって、第１の一次表面４８および／または第１のアーム３０などの係合部材２８に対する摩耗の低減を提供し得る。第１の支持区間５０と第１の一次区間４６は実質的に同じサイズとすることがある。
【００８８】
図７は、閉位置にある閉鎖機構２２の正面図である。閉鎖機構２２は、遠位端２６を備えた突出部材２４と、係合部材２８と、を備える。係合部材は、第１の遠位端３２を備えた第１のアーム３０と、第２の遠位端６２を備えた第２のアーム６０と、を有する。突出部材２４は、第１の一次窪み３８、第１の一次表面４８、第１の二次窪み４２および第１の二次表面５２を備える。さらに突出部材２４は図示したように、第２の一次窪み４０、第２の一次表面５４、第２の二次窪み４４および第２の二次表面５６を備える。
【００８９】
閉鎖機構２２が閉位置にあるときは、第１の一次窪み３８が係合部材２８の第１のアーム３０と係合するように構成されており、かつ第２の一次窪み４０が係合部材２８の第２のアーム６０と係合するように構成されている。
【００９０】
閉鎖機構２２が半閉位置にあるときは、第１の二次窪み４２が係合部材２８の第１のアーム３０と係合するように構成されており、かつ第２の二次窪み４４が係合部材２８の第２のアーム６０と係合するように構成されている。
【００９１】
閉鎖機構２２が閉位置と半閉位置との間にあるとき、第１の一次表面４８は係合部材２８の第１のアーム３０と係合するように構成されており、かつ第２の一次表面５４は係合部材２８の第２のアーム６０と係合するように構成されている。
【００９２】
閉鎖機構２２が開位置と半閉位置との間にあるときは、第１の二次表面５２が係合部材２８の第１のアーム３０と係合するように構成されており、かつ第２の二次表面５６が係合部材２８の第２のアーム６０と係合するように構成されている。
【００９３】
第１の二次窪み４２、第２の二次窪み４４、第１の二次表面５２および第２の二次表面５６は省略されることがあり得る。したがって閉鎖機構が開位置と閉位置との間にあるとき、第１の一次表面４８は係合部材２８の第１のアーム３０と係合するように構成されており、かつ第２の一次表面５４は係合部材２８の第２のアーム６０と係合するように構成されている。
【００９４】
第１のアーム３０および／または第２のアーム６０などの係合部材２２は、突出部材２４が閉位置から、閉位置と開位置または半閉位置との間のある位置まで前進するときに、第１のアーム３０の第１の遠位端が第１の変位方向８４に変位し、かつ、第２のアーム６０の第１の遠位端が第２の変位方向８６に変位するように可撓性を有している。これによって第１の一次表面４８は第１のアーム３０と係合しかつ第２の一次表面５４は第２のアーム６０と係合し、これにより突出部材２４の前進が可能となる。第１の変位方向８４は、回転軸８と平行な面内に第１の一次方向成分を有する。第２の変位方向８６は、回転軸８と平行な面内に第２の一次方向成分を有する。第１の変位方向８４または第１の変位方向８４の第１の一次方向成分と、第２の変位方向８６または第２の変位方向８６の第２の一次方向成分とは、実質的に反対方向とすることがある。
【００９５】
図示したように、第１の一次方向成分と第２の一次方向成分とは回転軸８と平行とさせることがある。しかし別の例示的な閉鎖機構（図示せず）では、閉鎖機構を回転軸と平行な面内で回転させることがある。たとえば第１の一次方向成分と第２の一次方向成分とを回転軸８と直交させることがある。
【００９６】
図２に関連して説明したように区画８２は、係合部材２８（あるいは、第１のアーム３０および／または第２のアーム６０）の第１の変位方向８４および／または第２の変位方向８６への移動を可能にすることがある。
【００９７】
図８は、開位置と閉位置との間にある閉鎖機構２２の正面図である。第１の一次表面４８は係合部材２８の第１のアーム３０と係合しており、かつ第２の一次表面５４は係合部材２８の第２のアーム６０と係合している。図８および図７から了解されるように、閉位置から閉位置と開位置との間にある位置までの突出部材の前進によって生じる第１のアーム３０の第１の遠位端３２の変位と第２のアーム６０の第２の遠位端６２の変位とは、第１のアーム３０と第２のアーム６０の角度を変化させる。したがって係合部材および／または突出部材に対する摩耗を低減するためには、閉鎖機構２２が開位置と閉位置との間にあるときは図６に関連して説明したように第１のアーム３０が第１の一次表面４８上で第１の支持区間５０などの第１の支持区間に沿って支持されることが望ましく、かつ、閉鎖機構２２が閉位置にあるときには図５に関連して説明したよう第１のアーム３０が第１の一次窪み３８内で第１の一次区間４６などの第１の一次区間に沿って支持されることが望ましい。同様に、第２のアーム６０は閉鎖機構２２が開位置と閉位置との間にあるときは第２の支持区間に沿って第２の一次表面５４上に支持されることが望ましく、かつ、第２のアーム６０は閉鎖機構２２が閉位置にあるときは第２の一次区間に沿って第２の一次窪み４０内に支持されることが望ましい。第１のアーム３０および／または第２のアーム６０が第１の一次窪み３８および／または第２の一次窪み４０および／または第１の二次窪み４２および／または第２の二次窪み４４などの窪み内に係合されたときと、第１の一次表面４８および／または第２の一次表面５４および／または第１の二次表面５２および／または第２の二次表面５６などの表面上に係合されたときの両方の時点で長さ方向に支持されるという望ましい効果を実現するために、窪みの傾斜と表面の傾斜を異ならせている。このことを図９に関連してさらに説明することにする。
【００９８】
図９は突出部材２４の正面図である。図９ではさらに、第１の一次窪み３８に沿った第１の一次主方向７０と、第１の一次表面４８に対する第１の一次法線７２と、第２の一次窪み４０に沿った第２の一次主方向７６と、第２の一次表面５４に対する第２の一次法線７８と、を示している。第１の一次主方向７０と第１の一次法線７２との間の第１の法線角度７４は非直交となるように示しており、これにより第１の一次窪み３８内に係合されたときおよび第１の一次表面４８上に係合されたときにおける第１のアーム３０の支持が提供される。同様に、第２の一次主方向７６と第２の一次法線７８との間の第２の法線角度８０も非直交となるように示しており、これにより第２の一次窪み４０内に係合されたときおよび第２の一次表面５４上に係合されたときにおける第２のアーム６０の支持が提供される。法線角度７４、８０の大きさは、係合部材２２の幾何学形状と、係合部材２２を閉位置から閉位置と開位置との間の位置まで前進させたときの第１のアーム３０および第２のアーム６０の変位によって決定される。法線角度７４、８０の大きさは、９０°未満（例えば、８５°未満など）とすること、および／または４５°〜８９°の範囲（例えば、６０°〜８８°の範囲、７５°〜８８°の範囲など）とすることがある。
【００９９】
さらに、以下の項目のうちのいずれかに従った聴覚装置を開示する。
【０１００】
項目１
フレームを備えたハウジングと、
前記ハウジングに取り付けられるとともに回転軸の周りで前記ハウジングを基準として回転するように構成された電池扉であって、前記電池扉は、電池軸を備えた電池区画を少なくとも部分的に画定する第１の壁表面を備えた側壁を有しており、前記第１の壁表面は、電池を支持するための複数の接触点を備えており、前記複数の接触点は、前記電池軸までの距離が等しく、第１のベクトルが、前記電池軸から延在するとともに前記電池軸から前記回転軸までの第１の方向において前記回転軸と直角に交差する、電池扉と、
遠位端を備えた突出部材と、第１の遠位端を備えた第１のアームを有する係合部材とを備えた閉鎖機構であって、前記突出部材は、前記電池扉が閉位置にあるときに前記係合部材と係合するように構成されている、閉鎖機構と、
を備える聴覚装置。
項目２
前記閉鎖機構は、前記第１のベクトルと、前記電池軸から第２の方向に延在するとともに前記回転軸と直交する第２のベクトルと、の間に画定される空間内に配置されており、前記第１のベクトルと前記第２のベクトルとの間の角度が１５０°未満である、項目１に記載の聴覚装置。
項目３
前記突出部材は、前記側壁から延在する、項目１または２に記載の聴覚装置。
項目４
前記突出部材は、第１の一次窪みを備え、前記第１の一次窪みは、前記電池扉が前記閉位置にあるときに前記係合部材と係合するように構成されている、項目１から３のいずれかに記載の聴覚装置。
項目５
前記突出部材は、第１の二次窪みを備え、第１の二次窪みは、前記電池扉が半閉位置にあるときに前記係合部材と係合するように構成されている、項目１から４のいずれかに記載の聴覚装置。
項目６
前記第１の一次窪みは、前記電池扉が前記閉位置にあるときに、前記第１の一次窪みの第１の一次区間に沿って前記第１のアームを支持するように構成されている、項目４または５に記載の聴覚装置。
項目７
前記突出部材は、前記遠位端と前記第１の一次窪みとの間に第１の一次表面を備えており、第１の一次表面は、第１の一次法線を有しており、前記第１の一次法線と前記第１の一次窪みに沿った主方向との間の第１の法線角度は、７５°〜８８°の範囲にある、項目４から６のいずれかに記載の聴覚装置。
項目８
前記電池扉の前記側壁は、前記突出部材または前記係合部材を前記電池扉に取り付けるためのドックを備える、項目１から７のいずれかに記載の聴覚装置。
項目９
第１のアームは、前記電池扉が開位置から閉位置まで移動するときに、前記第１の遠位端が第１の変位方向に変位するように可撓性であり、第１の変位方向が、前記回転軸に平行な第１の一次方向成分を有している、項目１から８のいずれかに記載の聴覚装置。
項目１０
前記第１の変位方向は、前記第１の一次方向成分と直交する第１の二次方向成分を有しており、前記第１の二次方向成分は、前記第１の一次方向成分より小さい、項目９に記載の聴覚装置。
項目１１
前記係合部材は第２の遠位端を備えた第２のアームを有する、項目１から１０のいずれかに記載の聴覚装置。
項目１２
前記係合部材は金属から製作される、項目１から１１のいずれかに記載の聴覚装置。
項目１３
前記フレームは、前記係合部材を受け容れるとともに前記係合部材を前記フレームに接続するための区画を備える、項目１から１２のいずれかに記載の聴覚装置。
項目１４
前記係合部材は、前記区画内において前記回転軸と平行な面内を少なくとも１つの方向に移動可能である、項目１３に記載の聴覚装置。
項目１５
前記少なくとも１つの方向は、前記第１の一次方向成分と前記第２の一次方向成分を含む、項目１４に記載の聴覚装置。
【０１０１】
特定の実施形態を示して、説明したが、特許請求の範囲に記載された発明を、好ましい実施形態に限定することを意図するものではなく、当業者には、特許請求の範囲に記載された発明の趣旨と範囲から逸脱することなく、様々な変更および修正を行うことができることが明白であることが理解されよう。したがって、明細書および図面は、制約的ではなく、説明的な意味とみなすべきである。特許請求の範囲に記載された発明は、その代替形態、修正形態および均等形態をその範囲に含めることを意図している。
【符号の説明】
【０１０２】
２        ：聴覚装置
３        ：ハウジング
４        ：フレーム
６        ：電池扉
８        ：回転軸
１０      ：側壁
１２      ：第１の壁表面
１４      ：電池区画
１６      ：電池軸
１８      ：接触点
２０      ：第１のベクトル
２２      ：閉鎖機構
２４      ：突出部材
２６      ：突出部材の遠位端
２８      ：係合部材
３０      ：第１のアーム
３２      ：第１の遠位端
３４      ：第２のベクトル
３６      ：第１のベクトルと第２のベクトルの間の角度
３８      ：第１の一次窪み
４０      ：第２の一次窪み
４２      ：第１の二次窪み
４４      ：第２の二次窪み
４６      ：第１の一次区間
４８      ：第１の一次表面
５０      ：第１の支持区間
５２      ：第１の二次表面
５４      ：第２の一次表面
５６      ：第２の二次表面
６０      ：第２のアーム
６２      ：第２の遠位端
６４      ：第２のアームの支持区間
７０      ：第１の一次主方向
７２      ：第１の一次法線
７４      ：法線角度
７４      ：第１の法線角度
７６      ：第２の一次主方向
７８      ：第２の一次法線
８０      ：第２の法線角度
８２      ：区画
８４      ：第１の変位方向
８６      ：第２の変位方向
【図１】
0006356099.tif 000002
【図２】
0006356099.tif 000003
【図３】
0006356099.tif 000004
【図４】
0006356099.tif 000005
【図５】
0006356099.tif 000006
【図６】
0006356099.tif 000007
【図７】
0006356099.tif 000008
【図８】
0006356099.tif 000009
【図９】
0006356099.tif 000010